(57)【要約】      （修正有）【課題】簡易な構造で、雪止め部材が屋根の色と調和し、屋根の美観を保持するための雪止め部材化粧カバーを提供する。【解決手段】雪止め部材化粧カバー１０は、建物の屋根８０に設置する長尺の雪止め部材３０を被覆し、表面が屋根８０の表面と略同色である。雪止め部材３０は、断面Ｌ字状に形成されており、雪止め部材化粧カバー１０は、雪止め部材３０の内側面３１及び／又は外側面３５を被覆する。雪止め部材化粧カバー１０は、金属製で一体に形成されており、雪止め部材３０のそれぞれの側端部３０ａ，３０ｂで折り曲げ形成した折り曲げ部１０ａ，１０ｂにより、側端部３０ａ，３０ｂに係着固定する。【選択図】図２
0003186037.tif 000002
【実用新案登録請求の範囲】
【請求項１】
建物の屋根に設置する長尺の雪止め部材を被覆する、表面が該屋根の表面と略同色であることを特徴とする雪止め部材化粧カバー。
【請求項２】
前記雪止め部材は、断面Ｌ字状に形成されており、
前記雪止め部材化粧カバーは、該雪止め部材の内側面及び／又は外側面を被覆する請求項１に記載の雪止め部材化粧カバー。
【請求項３】
金属製で一体に形成されている請求項２に記載の雪止め部材化粧カバー。
【請求項４】
前記雪止め部材のそれぞれの側端部で折り曲げ形成した折り曲げ部により、該側端部に係着固定する請求項３に記載の雪止め部材化粧カバー。
【請求項５】
前記折り曲げ部と前記雪止め部材とのそれぞれの隙間に側端縁を挿着固定する、断面Ｌ字形の雪止め部材補助化粧カバーを更に備え、
前記内側面及び前記外側面の全体を被覆する請求項４に記載の雪止め部材化粧カバー。
【請求項６】
前記雪止め部材化粧カバーが、前記屋根の長手方向に沿って２個以上設置される場合において、
隣接する雪止め部材化粧カバーの端面同士の当接部の下面と、前記雪止め部材の上面との間に、該当接部を跨いで埋設される、該雪止め部材化粧カバーの表面と略同色の表面である雪止め部材ジョイント化粧カバーを更に備える請求項１乃至５のうちのいずれか１項に記載の雪止め部材化粧カバー。
【考案の詳細な説明】
【技術分野】
【０００１】
本考案は、雪止め部材化粧カバーに関する。
【背景技術】
【０００２】
従来、冬期に積雪の多い地域では、建物の屋根に多量の雪が堆積することが避けられない実情がある。屋根に積もった雪は、適宜雪降ろしを行って雪の重みによる屋根の損壊を防止するが、積もった雪がむやみに落下すると、人や物に当たって怪我あるいは損壊の原因となるので、積もった雪の落下を防止する必要がある。積雪地における建物の屋根には、予め雪止め具が設置されているのが通常である。この雪止め具は、通常雪止めアングルという雪止め部材と、この雪止め部材を屋根に架設するための雪止め金具とからなる。
しかし、この雪止め部材は、通常太陽光で反射しやすく、屋根の色と調和せず、屋根の美観を損ねる結果を招いている。
ここで、屋根と調和する色で着色した雪止め金具が提案されている（例えば、特許文献１参照。）。
【先行技術文献】
【特許文献】
【０００３】
【特許文献１】実用新案登録２５４０４４２号公報
【考案の概要】
【考案が解決しようとする課題】
【０００４】
しかし、特許文献１では、雪止め部材の色については、開示されていない。
雪止めアングルのような雪止め部材は長尺であり、著しく目立ち、屋根の美観を大きく損なうものである。
本考案は、この問題を解決するものであり、簡易な構造で、雪止め部材が屋根の色と調和し、屋根の美観を保持するための雪止め部材化粧カバーを提供することを目的とする。
【課題を解決するための手段】
【０００５】
前記課題を解決するための本考案は、以下の通りである。
１．建物の屋根に設置する長尺の雪止め部材を被覆する、表面が該屋根の表面と略同色であることを特徴とする雪止め部材化粧カバー。
２．前記雪止め部材は、断面Ｌ字状に形成されており、
前記雪止め部材化粧カバーは、該雪止め部材の内側面及び／又は外側面を被覆する１．に記載の雪止め部材化粧カバー。
３．金属製で一体に形成されている２．に記載の雪止め部材化粧カバー。
４．前記雪止め部材のそれぞれの側端部で折り曲げ形成した折り曲げ部により、該側端部に係着固定する３．に記載の雪止め部材化粧カバー。
５．前記折り曲げ部と前記雪止め部材とのそれぞれの隙間に側端縁を挿着固定する、断面Ｌ字形の雪止め部材補助化粧カバーを更に備え、
前記内側面及び前記外側面の全体を被覆する４．に記載の雪止め部材化粧カバー。
６．前記雪止め部材化粧カバーが、前記屋根の長手方向に沿って２個以上設置される場合において、
隣接する雪止め部材化粧カバーの端面同士の当接部の下面と、前記雪止め部材の上面との間に、該当接部を跨いで埋設される、該雪止め部材化粧カバーの表面と略同色の表面である雪止め部材ジョイント化粧カバーを更に備える１．乃至５．のうちのいずれか１項に記載の雪止め部材化粧カバー。
【考案の効果】
【０００６】
１．本考案の雪止め部材化粧カバーは、建物の屋根に設置する長尺の雪止め部材を被覆し、表面が該屋根の表面と略同色であるため、簡易な構造で、雪止め部材を屋根の色と調和させることができ、屋根の美観を保持することができる。
２．前記雪止め部材は、断面Ｌ字状に形成されており、前記雪止め部材化粧カバーが、該雪止め部材の内側面及び／又は外側面を被覆することにより、屋根葺きの構造に応じて、雪止め部材の内側面又は外側面のいずれか或いはその両側面を選択して、雪止め部材化粧カバーで被覆することにより、雪止め部材を屋根の色と調和させることができる。
３．雪止め部材化粧カバーが金属製で一体に形成されている場合には、より簡易な施工で雪止め部材に装着することができる。
４．前記雪止め部材のそれぞれの側端部で折り曲げ形成した折り曲げ部により、該側端部に係着固定する場合には、簡易な構造で確実に装着することができる。
５．前記折り曲げ部と前記雪止め部材とのそれぞれの隙間に側端縁を挿着固定する、断面Ｌ字形の雪止め部材補助化粧カバーを更に備える場合には、前記内側面及び前記外側面の全体を被覆することができる。
６．前記雪止め部材化粧カバーが、前記屋根の長手方向に沿って２個以上設置される場合において、隣接する雪止め部材化粧カバーの端面同士の当接部の下面と、前記雪止め部材の上面との間に、該当接部を跨いで埋設される、該雪止め部材化粧カバーの表面と略同色の表面である雪止め部材ジョイント化粧カバーを更に備える場合には、隣接する雪止め部材化粧カバー間の当接部に隙間ができても、その下方の雪止め部材表面が露出しないため、美観が損なわれることがない。
【図面の簡単な説明】
【０００７】
【図１】実施形態１に係り、雪止め部材に雪止め部材化粧カバーを取付け、雪止め金具に装着した状態を示す斜視図である。
【図２】図１におけるＡ−Ａ断面図である。
【図３】実施形態１に係り、建物の屋根の全体を示す斜視図である。
【図４】(ａ)実施形態１に係り、隣接する雪止め部材化粧カバー間の下面に雪止め部材ジョイント化粧カバーを備えた状態を示す斜視図である。          （ｂ）図４（ａ）におけるＢ−Ｂ断面図である。
【図５】実施形態２に係り、雪止め部材に雪止め部材化粧カバー及び雪止め部材補助化粧カバーを取付け、更に、雪止め金具を装着した状態を示す斜視図である。
【図６】図５におけるＣ−Ｃ断面図である。
【図７】実施形態２に係り、建物の屋根の全体を示す斜視図である。
【図８】実施形態３に係り、雪止め部材に雪止め部材化粧カバーを取付け、雪止め金具に装着した状態を示す斜視図である。
【図９】図８におけるＤ−Ｄ断面図である。
【考案を実施するための形態】
【０００８】
以下、本考案の実施形態を示す図１〜９を参照しながら本考案を詳しく説明する。
尚、本考案は、かかる図に記載された具体例に示すものに限られず、目的、用途に応じて種々変更したものとすることができる。
【０００９】
[実施形態１]
実施形態１に係る雪止め部材化粧カバー１０は、図１及び図２に示すように、長尺の雪止め部材３０を被覆する部材である。
前記「雪止め部材」は、建物の屋根において雪止め効果を発揮する長尺体であれば、アングルのほか、管状体、棒状体などであってもよい。
雪止め部材３０は、断面Ｌ字状で長尺に形成されており、通称「雪止めアングル」と呼ばれる（以下「アングル」という。）。アングルは、通常、アングル３０のように、等辺アングルで、厚さ３ｍｍ〜６ｍｍ、辺の長さ４０〜６５ｍｍのサイズのものが好ましいが、この寸法に限定されない。更に不等辺アングルでもよい。材質は、ステンレス鋼に亜鉛メッキが施されているものが好ましい。
【００１０】
前記「雪止め部材化粧カバー」は、長尺の雪止め部材を被覆する、雪止め部材の形状に適合する形状とすることができる。そして、その表面が屋根の表面と略同色である。
雪止め部材化粧カバー（以下「アングルカバー」という。）１０は、図２に示すように、アングル３０の内側面３１を被覆する。
すなわち、アングルカバー１０は、金属製で一体に形成されており、アングル３０のそれぞれの側端部３０ａ、３０ｂで折り曲げ形成された折り曲げ部１０ａ、１０ｂにより側端部３０ａ、３０ｂに係着固定される。アングルカバーの厚さは特に限定はないが、通常０．３〜０．５ｍｍ程度であることが好ましい。
折り曲げ部１０ａ、１０ｂの長さは、側端部３０ａ、３０ｂに係着固定できれば特に限定はないが、通常１４〜１６ｍｍ程度であることが好ましい。アングルカバーの材質も、特に限定はないが、カラーガルバリウム鋼板、フッソガルバリウム鋼板、カラーステンレス鋼板などが好適に使用できる。
【００１１】
アングルカバー１０で被覆形成されたアングル３０は、図３に示すように、屋根８０に設置した雪止め金具６０に取り付けられる。すなわち、アングル３０は、図１及び図２に示すように、雪止め金具６０の背板６０ａ、底板６０ｂ、斜板６０ｃで囲われた内部に遊挿される。
こうすることで、屋根８０を下方より仰いだ場合には、アングルカバー１０ののうちの表面１０ｃ及び１０ｄのみ視野に入ることになり、アングル３０の表面が見えることはない。アングルカバー１０の表面１０ｃ及び１０ｄが、前記屋根の表面と略同色であるため、屋根の色と調和し、屋根の美観を保持することができる。
【００１２】
図４(ａ)、（ｂ）に示すように、アングルカバー１０が、屋根の長手方向に沿って２個以上設置される場合において、隣接するアングルカバー１０の端面同士の当接部１０ｅの下面であって、アングル３０の上面に、当接部１０ｅを跨いで埋設される、アングルカバー１０の表面の色と略同色である雪止め部材ジョイント化粧カバー（以下「アングルジョイントカバー」という。）１５を更に備えることができる。こうすることで、当接部１０ｅに隙間が生じても、その下方の雪止め部材３０の表面が露出しないため、美観が損なわれることがない。
【００１３】
[実施形態２]
実施形態２に係るアングルカバーは、図５及び図６に示すように、長尺のアングル３０を被覆する部材であり、アングル３０の外側面３５を被覆するアングルカバー２０と、内側面３１を被覆する雪止め部材補助化粧カバー（以下「アングル補助カバー」という。）２５を備えている。
すなわち、アングルカバー２０は、金属製で一体に形成されており、アングル３０のそれぞれの側端部３０ａ、３０ｂで折り曲げ形成される。
アングル補助カバー２５は、図６に示すように、アングルカバー２０の折り曲げ部２０ａ、２０ｂとアングル３０とのそれぞれの隙間に側端縁２５ａ、２５ｂを挿着固定する。
このように構成することで、アングル３０の外表面のみならず、内表面も被覆されるため、アングル３０の表面が見えることはない。
【００１４】
アングルカバー２０及びアングル補助カバー２５で被覆形成されたアングル３０は、図７に示すように、屋根９０に設置した屋根板の接続部９５に固定した雪止め金具７０に取り付けられる。
図６に示すように、被覆形成されたアングル３０は、雪止め金具７０の係止上面７８ａにアングルカバー２０、アングル補助カバー２５が当接し、アングルカバー表面２０ｄが、立設部７１の内側面７１ａに当接し、折り曲げ部２０ｂが係止側面７８ｂに当接するように載置する。
そして、立設部７１の上部に可動自在に係着された係止片７５の先端７５ａでアングルカバー表面２０ｃを押圧係止することで、アングルカバー２０及びアングル補助カバー２５で被覆形成されたアングル３０は、雪止め金具７０に確実に固定される。
【００１５】
雪止め金具７０は、図５に示すように、屋根板の接続部９５の上面部９５ａを固定板７７の押圧凸部７７ｂで押圧し、側面突設部９５ｂを固定板７７の押圧凹部７７ａで押圧する。更に、側面突設部９５ｂを基台部７９で押圧挟持することにより、雪止め金具７０が屋根板の接続部９５に確実に固定される。
【００１６】
以上の構成により、屋根を下方より仰いだ場合には、図６に示すように、アングルカバーの表面２０ｃ及び２０ｆのみが視野に入ることになり、アングル３０の表面が見えることはない。アングルカバーの表面２０ｃ及び２０ｆが、前記屋根の表面と略同色であるため、屋根の色と調和し、屋根の美観を保持することができる。
【００１７】
アングル３０の形状、寸法、材質、アングルカバー２０の形状、寸法、材質については、実施形態１のアングル３０及びアングルカバー１０と同様であるため、その説明を省略する。また、アングルカバー２０が、屋根の長手方向に沿って２個以上設置される場合における、アングルジョイントカバーについても、同様に使用することができる。
【００１８】
[実施形態３]
実施形態３に係るアングルは、図８及び図９に示すように、実施形態２におけるアングルの屋根の下方への向きを反転させた形態である。こうすることで、アングル３０の内側面３１は、屋根を下方より仰いだ場合には、視野に入らなくなる。
すなわち、アングル３０を被覆する部材は、アングル３０の外側面３５を被覆するアングルカバー２０のみで足り、内側面３１を被覆する補助アングルカバーを不要とすることができる。
実施形態３に係るアングルカバー２０のアングル３０への取付けについては、
実施形態２と同様であるため、その説明を省略する。
【００１９】
アングルカバー２０で被覆形成されたアングル３０も、図９に示すように雪止め金具７０に取り付けられ、取付け構造は、アングル補助カバー以外は、実施形態２と同様である。図７及び図８は、アングル補助カバーを除き、図５及び図６を逆方向から見たものであり、その説明を省略する。
【００２０】
アングル３０の形状、寸法、材質、アングルカバー２０の形状、寸法、材質については、実施形態１のアングル３０及びアングルカバー１０と同様であるため、その説明を省略する。また、アングルカバー２０が、屋根の長手方向に沿って２個以上設置される場合における、アングルジョイントカバーについても、同様に使用することができる。
【符号の説明】
【００２１】
１０、２０・・・・・・・雪止め部材化粧カバー（アングルカバー）
１０ａ、１０ｂ、２０ａ、２０ｂ・・折り曲げ部
１５・・・・・・・・・・雪止め部材補助化粧カバー（アングル補助カバー）
２５・・・・・・・・・・雪止め部材ジョイント化粧カバー
（アングルジョイントカバー）
２５ａ、２５ｂ・・・・・側端縁
２５ｅ・・・・・・・・・当接部
３０・・・・・・・・・・雪止め部材（アングル）
３０ａ、３０ｂ・・・・・側端部
３１・・・・・・・・・・内側面
３５・・・・・・・・・・外側面
８０、９０・・・・・・・屋根
【図２】
0003186037.tif 000003
【図３】
0003186037.tif 000004
【図６】
0003186037.tif 000005
【図７】
0003186037.tif 000006
【図９】
0003186037.tif 000007
【図１】
0003186037.tif 000008
【図４】
0003186037.tif 000009
【図５】
0003186037.tif 000010
【図８】
0003186037.tif 000011